【手続補正書】
【提出日】平成19年5月8日(2007.5.8)
【手続補正１】
【補正対象書類名】明細書
【補正対象項目名】特許請求の範囲
【補正方法】変更
【補正の内容】
【特許請求の範囲】
【請求項１】  シート１の背凭シート３の側部に、横方向のシャフト７によりアームレスト４を回動自在に設け、前記シャフト７と前記アームレスト４のアームレストフレーム１０との間には、着座者による操作部材の操作を行うことなく、アームレスト４の使用範囲Ａではアームレスト４の下方回動はロックし且つ上方回動のみ自在にして高さ調節可能にし、前記使用範囲Ａの上限位置と同じかそれより越えた位置の所定の格納範囲Ｂではアンロック状態になって上下回動自在とし、前記格納範囲Ｂから前記使用範囲Ａの最下方位置まで下方回動させると、前記アームレスト４の下方回動はロックさせるロック可能状態に復帰させるロック装置Ｌを設けたアームレスト。
【請求項２】  請求項１において、前記ロック装置Ｌは、前記シャフト７の外周にロックスプリング１１のコイル部１２を嵌合させ、コイル部１２の一端である移動端部１４は常にアームレスト４と一体回動するようにし、コイル部１２の他端である自由端２０は、前記アームレスト４と一体回動させるとコイル部１２の直径を変化させずにアンロック状態とし、前記アームレスト４の回動とは無縁にすると前記移動端部１４との相対的移動により前記コイル部１２の径を小さくしてロック状態とするように構成したアームレスト。
【請求項３】  請求項１において、前記ロック装置Ｌは、前記シャフト７の外周に嵌合するコイル部１２および常にアームレスト４と一体回動する移動端部１４および前記アームレスト４の一体移動用嵌合部２２に継脱する自由端側係合部２１を有する自由端２０とにより構成したロックスプリング１１と、前記シャフト７側に設けた自由端側係合部２１を一体移動用嵌合部２２に係合させるフリー作動部３７および前記一体移動用嵌合部２２に係合した自由端側係合部２１を離脱させるフリー解除部３２を設けたロック移行部材３０とにより構成したアームレスト。
【請求項４】  請求項２または請求項３において、前記コイル部１２は、その巻き方向をアームレスト４を下方回動させると直径が小になるように構成したアームレスト。
【請求項５】  請求項３または請求項４において、前記一体移動用嵌合部２２は、自由端２０の側方に設けたカバー部材２５にスリット状に形成し、前記フリー解除部３２は前記カバー部材２５と自由端２０の間に侵入して自由端側係合部２１を一体移動用嵌合部２２から離脱させるように構成したアームレスト。
【請求項６】  請求項５において、前記自由端側係合部２１を一体移動用嵌合部２２から離脱させるロック移行部材３０は、前記一体移動用嵌合部２２に対して前記自由端２０が移動しうる移動溝３６を有するリング部３５の先端に、前記自由端２０が当接すると自由端側係合部２１を一体移動用嵌合部２２に嵌合させるフリー作動部３７を設けたアームレスト。
【手続補正２】
【補正対象書類名】明細書
【補正対象項目名】０００５
【補正方法】変更
【補正の内容】
【０００５】
【課題を解決するための手段】
本発明は、シート１の背凭シート３の側部に、横方向のシャフト７によりアームレスト４を回動自在に設け、前記シャフト７と前記アームレスト４のアームレストフレーム１０との間には、着座者による操作部材の操作を行うことなく、アームレスト４の使用範囲Ａではアームレスト４の下方回動はロックし且つ上方回動のみ自在にして高さ調節可能にし、前記使用範囲Ａの上限位置と同じかそれより越えた位置の所定の格納範囲Ｂではアンロック状態になって上下回動自在とし、前記格納範囲Ｂから前記使用範囲Ａの最下方位置まで下方回動させると、前記アームレスト４の下方回動はロックさせるロック可能状態に復帰させるロック装置Ｌを設けたアームレストとしたものである。
本発明は、前記ロック装置Ｌは、前記シャフト７の外周にロックスプリング１１のコイル部１２を嵌合させ、コイル部１２の一端である移動端部１４は常にアームレスト４と一体回動するようにし、コイル部１２の他端である自由端２０は、前記アームレスト４と一体回動させるとコイル部１２の直径を変化させずにアンロック状態とし、前記アームレスト４の回動とは無縁にすると前記移動端部１４との相対的移動により前記コイル部１２の径を小さくしてロック状態とするように構成したアームレストとしたものである。
本発明は、前記ロック装置Ｌは、前記シャフト７の外周に嵌合するコイル部１２および常にアームレスト４と一体回動する移動端部１４および前記アームレスト４の一体移動用嵌合部２２に継脱する自由端側係合部２１を有する自由端２０とにより構成したロックスプリング１１と、前記シャフト７側に設けた自由端側係合部２１を一体移動用嵌合部２２に係合させるフリー作動部３７および前記一体移動用嵌合部２２に係合した自由端側係合部２１を離脱させるフリー解除部３２を設けたロック移行部材３０とにより構成したアームレストとしたものである。
本発明は、前記コイル部１２は、その巻き方向をアームレスト４を下方回動させると直径が小になるように構成したアームレストとしたものである。
本発明は、前記一体移動用嵌合部２２は、自由端２０の側方に設けたカバー部材２５にスリット状に形成し、前記フリー解除部３２は前記カバー部材２５と自由端２０の間に侵入して自由端側係合部２１を一体移動用嵌合部２２から離脱させるように構成したアームレストとしたものである。
本発明は、前記自由端側係合部２１を一体移動用嵌合部２２から離脱させるロック移行部材３０は、前記一体移動用嵌合部２２に対して前記自由端２０が移動しうる移動溝３６を有するリング部３５の先端に、前記自由端２０が当接すると自由端側係合部２１を一体移動用嵌合部２２に嵌合させるフリー作動部３７を設けたアームレストとしたものである。
【手続補正３】
【補正対象書類名】明細書
【補正対象項目名】００２０
【補正方法】変更
【補正の内容】
【００２０】
【効果】
本発明は、シート１の背凭シート３の側部に、横方向のシャフト７によりアームレスト４を回動自在に設け、前記シャフト７と前記アームレスト４のアームレストフレーム１０との間には、着座者による操作部材の操作を行うことなく、アームレスト４の使用範囲Ａではアームレスト４の下方回動はロックし且つ上方回動のみ自在にして高さ調節可能にし、前記使用範囲Ａの上限位置と同じかそれより越えた位置の所定の格納範囲Ｂではアンロック状態になって上下回動自在とし、前記格納範囲Ｂから前記使用範囲Ａの最下方位置まで下方回動させると、前記アームレスト４の下方回動はロックさせるロック可能状態に復帰させるロック装置Ｌを設けたアームレストとしたものであるから、従来のようにアームレストの回動ストロークの始端あるいは終端の何れかでロックを解除させないので、狭い車内でも操作を容易にした簡素なロック装置を有するアームレストを提供できる。
本発明は、前記ロック装置Ｌは、前記シャフト７の外周にロックスプリング１１のコイル部１２を嵌合させ、コイル部１２の一端である移動端部１４は常にアームレスト４と一体回動するようにし、コイル部１２の他端である自由端２０は、前記アームレスト４と一体回動させるとコイル部１２の直径を変化させずにアンロック状態とし、前記アームレスト４の回動とは無縁にすると前記移動端部１４との相対的移動により前記コイル部１２の径を小さくしてロック状態とするように構成したアームレストとしたものであるから、ロックスプリング１１を用いながら、操作部材が不要で且つ調節が容易なアームレストを提供できる。
本発明は、前記ロック装置Ｌは、前記シャフト７の外周に嵌合するコイル部１２および常にアームレスト４と一体回動する移動端部１４および前記アームレスト４の一体移動用嵌合部２２に継脱する自由端側係合部２１を有する自由端２０とにより構成したロックスプリング１１と、前記シャフト７側に設けた自由端側係合部２１を一体移動用嵌合部２２に係合させるフリー作動部３７および前記一体移動用嵌合部２２に係合した自由端側係合部２１を離脱させるフリー解除部３２を設けたロック移行部材３０とにより構成したアームレストとしたものであるから、従来のようにロック装置Ｌを直接操作する操作部材を省略してコストを低くし、また、ラッチとラチェットの組合せようなアームレストの回動ストロークの始端あるいは終端の何れかでラチェットを解除させることもなく、狭い車内でも操作を容易にし、ロック装置Ｌをロックスプリング１１により構成できるので、構成が簡素で、部品点数を少なくできる。
本発明は、前記コイル部１２は、その巻き方向をアームレスト４を下方回動させると直径が小になるように構成したアームレストとしたものであるから、ロックスプリング１１のコイル部１２による摩擦抵抗を利用してロックとアンロックを構成でき、構成が簡素で、部品点数を少なくできる。
本発明は、前記一体移動用嵌合部２２は、自由端２０の側方に設けたカバー部材２５にスリット状に形成し、前記フリー解除部３２は前記カバー部材２５と自由端２０の間に侵入して自由端側係合部２１を一体移動用嵌合部２２から離脱させるように構成したアームレストとしたものであるから、ロックとアンロックの切替構成を簡素にすると共に、ロック位置とアンロック位置の夫々の設定を容易にできる。
本発明は、前記自由端側係合部２１を一体移動用嵌合部２２から離脱させるロック移行部材３０は、前記一体移動用嵌合部２２に対して前記自由端２０が移動しうる移動溝３６を有するリング部３５の先端に、前記自由端２０が当接すると自由端側係合部２１を一体移動用嵌合部２２に嵌合させるフリー作動部３７を設けたアームレストとしたものであるから、確実にロック可能状態にでき、また、ロック移行部材３０を交換するだけで、使用範囲Ａと格納範囲Ｂの設定変更可能となる。